(57)【要約】      （修正有）【課題】幟旗のポールの先端に取り付け、ポールが傾いても、自由に回転できる視認性の高いのぼり先端取付ＰＯＰを提供する【解決手段】ターントップ１のスリーブ６を幟旗のポール７最上端に挿入したのぼり先端取付ＰＯＰであって、表示板１３，１４と底辺１２，１５とを有し断面が三角形状のＰＯＰと、取付部、キャップねじ５、横竿取付孔およびスリーブ６を有するターントップ１とを備え、前記底辺の中央に設けた取付孔４を、前記ターントップの取付部に装着し、横竿取付孔に横竿を装着したのち、前記底部を前記キャップねじ５で前記ターントップ１に螺設してなり、表示板１３の表面が幟旗の横竿１６に平行であることを特徴としている。【選択図】図２
0003164880.tif 000002
【実用新案登録請求の範囲】
【請求項１】
ターントップのスリーブを幟旗のポール最上端に挿入したのぼり先端取付ＰＯＰであって、
表示板と底辺とを有し断面が三角形状のＰＯＰと
取付部、キャップねじ、横竿取付孔およびスリーブを有するターントップと、
を備え、
前記底辺の中央に設けた取付孔を、前記ターントップの取付部に装着し、横竿取付孔に横竿を装着したのち、前記底部を前記キャップねじで前記ターントップに螺設してなり、
表示板の表面が幟旗の横竿に平行であることを特徴とするのぼり先端取付ＰＯＰ。
【考案の詳細な説明】
【技術分野】
【０００１】  本考案は、のぼり先端取付ＰＯＰに関するものである。
【背景技術】
【０００２】  宣伝用看板としては、吸盤と板バネを組み合わせ、その先に宣伝用看板を取り付けたものが人目を惹いている。Ａ２００２−１４９０７６アイキャッチャーは、その一例である。公報によると、支持板と支持板に起立状態で、保持される線状の支持・固定部材と、支持・固定部材の先端に固定される表示板とを具備するアイキャッチャーが開示されている。
このように、人目を惹くための宣伝用看板は、主として屋内で使用される場合が多い。【０００３】  主として屋外で使用される宣伝用看板に幟旗がある。幟旗のポールの先端に宣伝用看板を取り付けたものがある。Ａ２０１０−１２２６４４幟用表示板は、その例である。公報によると、幟を立てるために用いられる幟用ポールの、横棒を固定、回転させる目的で先端に装着している、通称、回転頭に取り付けて使用する表示板であって、回転頭の横棒締め付けねじ部を貫通する開口部を有し、板状で、Ｌ字、もしくはコの字の形状に曲がり、その曲げ部分から先が表示部になって、これにより既存の幟のアイキャッチ効果を更に高める幟用表示板が開示されている。
この案によると、表示部分は、Ｌ字形もしくはコの字の形状を有しており、ポールに干渉しない長さとしているが、幟が必ずしも常に垂直に立っているとは限らない。その場合、表示部分の最下部分がポールに接触するなどの問題が生ずる。
本出願人は、先に、幟旗のポールの先端に宣伝用看板を取り付け、風をうけて回転するＰＯＰを意匠登録した。意匠登録番号第１０８８８２１号，第１０８８８２２号である。
【先行技術文献】
【特許文献】
【０００４】
【特許文献１】特開２００２−１４９０７６号公報
【特許文献２】特開２０１０−１２２６４４号公報
【考案の概要】
【考案が解決しようとする課題】
【０００５】  本考案は、かかる問題を解決すべく考案されたもので、幟旗のポールの先端に取り付け、ポールが傾いても、自由に回転できる視認性の高いのぼり先端取付ＰＯＰを提供することを課題とする。
【課題を解決するための手段】
【０００６】  本考案は、ターントップのスリーブを幟旗のポール最上端に挿入したのぼり先端取付ＰＯＰであって、
表示板と底辺とを有し断面が三角形状のＰＯＰと、取付部、キャップねじ、横竿取付孔およびスリーブを有するターントップと、を備え、
前記底辺の中央に設けた取付孔を、前記ターントップの取付部に装着し、横竿取付孔に横竿を装着したのち、前記底部を前記キャップねじで前記ターントップに螺設してなり、
表示板の表面が幟旗の横竿に平行であることを特徴とする。
【考案の効果】
【０００７】  断面が三角形形状の表示板をターントップを使って幟旗のポールの最上位に装着したので、既存の幟旗よりより以上の視認性が高まるという効果が得られる。
【図面の簡単な説明】
【０００８】
【図１】は、図２（ｂ）のＡ−Ａ線断面図である。
【図２】（ａ）は、のぼり先端取付ＰＯＰの平面図であり、図２（ｂ）はのぼり先端取付ＰＯＰの側面図である。（実施例１）
【図３】は、表示板の展開図である。
【図４】は、表示板の上部の片方を円形に切り欠いた平面図である。（実施例２）
【考案を実施するための形態】
【実施例１】
【０００９】  図１は、本考案装置の実施例１の一部分を断面で示したもので、図２（ｂ）のＡ−Ａ線断面図である。図２は、本考案装置の実施例１の（ａ）平面図と（ｂ）側面図である。図３は、本考案装置の実施例１の表示板の展開図である。
１は、ターントップ、２は、ターントップねじ、３は、表示板取付部、４は、表示板取付孔、５は、キャップねじ、６は、スリーブ、７は、幟旗ポール、（８）は、原板、９，１０、１１は原板上の折り目、１３，１４は表示板、１２，１５は底辺、１６は、幟旗の横竿である。【００１０】  図３に示すように、表示板の原板（８）を、折り目９，１０，１１にしたがって折り曲げて断面が三角形の形状を形成する。底辺１２，１５の中央付近に直径約２５ｍｍの孔をあけ、表示板取付孔４とする。原板（８）の大きさは、幅１２ｃｍ、長さ３３ｃｍ、厚さは、０．５ｍｍ程度である。三角形の一辺の長さは、１０．３ｃｍ程度であるが、大きさは、表示寸法にはこだわらない。【００１１】  断面の三角形は、２等辺三角形もあるし、変形三角形も採用できる。また、断面が四角を含む多角形も本考案の主旨と同一である。【００１２】  原板（８）の基材は、紙のほか、プラスティック系でも使用可能であり、可視情報を、印刷または、描ければよく、幟旗の情報を補足する役割を果たす目的で、運用すると、一層の効果が期待できる。【００１３】  図１に示すように、原板（８）を断面が三角形の形状に折り込んで、得られた底辺１２．１５の表示板取付孔４が重なるように、重ねたのち、ターントップ１の表示板取付部３に装着し、キャップねじ５は、ターントップねじ２と螺合しているので、キャップねじ５をしめることによって前記底辺をターントップ１に螺設することができる。キャップねじ５で底辺をしめるとき、表示板の表面が横竿１６に平行になるように位置決めする。次に、ターントップ１に緩装されているスリーブ６を幟旗ポール７の最上部に挿入する。【００１４】  かくして、表示板１３，１４は、幟旗の幟本体に平行でかつ幟旗ポール７の最上部にあるので、需要者が幟旗をみるとき、その目線の延長上に表示板があるように配置されている。風などによって、幟旗がポールの軸まわりに回転しても、表示板の回転は邪魔されることはない。
【実施例２】
【００１５】  図４は、本考案の実施例２の平面図である。表示板を直接加工した一例である。具体的には、表示板１３の片方の上部コーナーに丸み（１７）を付けたものである。表示板１３に変化を持たせ、アイキャッチ効果を高めるために、行うものである。扱う商品によっては、表示板１３の片方のみでなく、両コーナーを含む左右両辺に丸みを付けることも考えられる。【００１６】  単に表面的に直接加工するだけでなく、表示板表面に折り目を付け、表示板の一部を外側に折り曲げる方法も加工の一例である。このように、表示板を直接加工すれば、表示板表面上の表面的な情報のみならず、立体に近い情報の提供も可能となる。幟旗が宣伝している商品によっては、表示板直接加工手段の効果が期待できる。
【産業上の利用可能性】
【００１７】  本考案の請求項１に記載のターントップ１の機能を利用して、表示板に代えて、食品ケース例えば、カップラーメン、アイスクリームなどの実物ケースを活用することも考えられる。
【符号の説明】
【００１８】  １  ターントップ
２  ターントップねじ
３  表示板取付部
４  表示板取付孔
５  キャップねじ
６  スリーブ
７  幟旗ポール
（８）  原板
９，１０，１１  折り目
１２，１５  底辺
１３，１４  表示板
１６  横竿
（１７）  丸み
【図１】
0003164880.tif 000003
【図２】
0003164880.tif 000004
【図３】
0003164880.tif 000005
【図４】
0003164880.tif 000006